(57)【要約】【課題】回転ブラシを支持するシャフトで生じる振動を減少することができ、回転ブラシやシャフトの機械的寿命を延ばすことができ、しかも、動力伝達を遮断したときに回転ブラシを完全に停止することができる電気掃除機を提供する。【解決手段】掃除機本体と、該掃除機本体に連結され、下面に開口する吸込口を有する吸込具本体と、前記吸込口内に回転自在に配設された回転ブラシと、駆動源と、該駆動源から回転ブラシに動力を伝達するベルトとを備えており、前記回転ブラシの一方の端部には、前記ベルトで駆動される駆動用プーリが固着され、かつ該駆動用プーリに隣接して回転自在な自在プーリが配設されてなる電気掃除機であって、前記回転ブラシおよび自在プーリがそれぞれ、前記吸込具本体内部に両端が固定されたシャフトに対して回転自在に支持されてなる電気掃除機。【選択図】        図１
2004254746.tif 000002
【特許請求の範囲】
【請求項１】
掃除機本体と、該掃除機本体に連結され、下面に開口する吸込口を有する吸込具本体と、前記吸込口内に回転自在に配設された回転ブラシと、駆動源と、該駆動源から回転ブラシに動力を伝達するベルトとを備えており、前記回転ブラシの一方の端部には、前記ベルトで駆動される駆動用プーリが固着され、かつ該駆動用プーリに隣接して回転自在な自在プーリが配設されてなる電気掃除機であって、
前記回転ブラシおよび自在プーリがそれぞれ、前記吸込具本体内部に両端が固定されたシャフトに対して回転自在に支持されてなる電気掃除機。
【発明の詳細な説明】
【０００１】
【発明の属する技術分野】
本発明は電気掃除機に関する。さらに詳しくは、モータの動力などにより強制的に回転される回転ブラシを備えており、回転ブラシを支持するシャフトで生じる振動を減少することができ、前記回転ブラシやシャフトの機械的寿命を延ばすことができる電気掃除機に関する。
【０００２】
【従来の技術】
従来より、掃除機本体の下部に吸込具本体が連結されたアップライト式の電気掃除機では、吸込具本体の吸込口内部に回転ブラシが回転自在に設けられ、電動送風機などの駆動源からベルトを介して伝達される動力により回転ブラシを回転させる電気掃除機が種々提案されている（特許文献１参照）。
【０００３】
かかる特許文献１記載の電気掃除機では、回転ブラシがネジなどによってシャフトに固定され、シャフトの両端部がボールベアリングを介して吸込具本体の両端壁に回転自在に支持されているため、回転ブラシおよびシャフトが一体になって回転するようになっている。また、回転ブラシへの動力伝達を任意に断続させるために、回転ブラシに固着された駆動用プーリに隣接する位置に、停止用の自在プーリ（フリープーリ）が配設されている。自在プーリは、ボールベアリングを介して前記シャフトに回転自在に支持されている。そして、操作ペダルを足で操作することにより、操作ペダルに連結されたベルトガイドが移動して、ベルトを駆動用プーリおよび自在プーリのいずれかに掛け替えることができる。
【０００４】
【特許文献１】
特開２００２−２３８８１４号公報
【０００５】
【発明が解決しようとする課題】
前記特許文献１記載の電気掃除機では、回転ブラシとともに回転するシャフトが、掃除中に回転ブラシが床に接触するなどの理由で若干曲がっているか、またはたわんでいる。そのため、シャフトがたわんだアンバランスな状態でシャフトおよび回転ブラシが回転するので、振動が大きくなるなどの問題がある。
【０００６】
さらに、シャフトのアンバランスな回転、およびそれに伴う大きな振動の影響で、回転ブラシやシャフトの機械的寿命が短くなるという問題がある。
【０００７】
また、ベルトを自在プーリに掛けて駆動用プーリへの動力伝達を遮断しても、自在プーリのボールベアリングとシャフトとのあいだの若干の摩擦力の影響で、シャフトおよび回転ブラシが回転し続けるという問題もある。
【０００８】
本発明はかかる問題を解消するためになされたものであり、回転ブラシを支持するシャフトで生じる振動を減少することができ、回転ブラシやシャフトの機械的寿命を延ばすことができ、しかも、動力伝達を遮断したときに回転ブラシを完全に停止することができる電気掃除機を提供することを目的とする。
【０００９】
【課題を解決するための手段】
本発明の電気掃除機は、掃除機本体と、該掃除機本体に連結され、下面に開口する吸込口を有する吸込具本体と、前記吸込口内に回転自在に配設された回転ブラシと、駆動源と、該駆動源から回転ブラシに動力を伝達するベルトとを備えており、前記回転ブラシの一方の端部には、前記ベルトで駆動される駆動用プーリが固着され、かつ該駆動用プーリに隣接して回転自在な自在プーリが配設されてなる電気掃除機であって、
前記回転ブラシおよび自在プーリがそれぞれ、前記吸込具本体内部に両端が固定されたシャフトに対して回転自在に支持されてなることを特徴とする。
【００１０】
【発明の実施の形態】
つぎに図面を参照しながら本発明の電気掃除機を詳細に説明する。図１は本発明の電気掃除機の一実施の形態を示す斜視説明図、図２は図１の吸込具本体を底蓋を取り外して下方から見た図、図３は図１の回転ブラシ付近の主要部の断面説明図である。
【００１１】
図１〜３に示されるアップライト式の電気掃除機は、吸込具本体１と、掃除機本体２と、グリップ部３と、グリップ部３に固着された先端側パイプ（図示せず）と、可撓性ホース５と、回動管６とから構成されている。先端側パイプの先端部は、掃除機本体２の筒状の先端側パイプ支持部７に挿入されて着脱自在に支持されている。しかも、グリップ部３は、グリップ部３の後方側に配設される可撓性ホース５を介して前記掃除機本体２の前面側上部にあるダストボックス８に接続されている。グリップ部３は、中空筒体からなり、上端には取っ手が形成されている。このグリップ部３を介して先端側パイプおよび可撓性ホース５が連結されている。また、グリップ部３は、前記先端側パイプ支持部７に対して、着脱自在に連結されている。
【００１２】
掃除機本体２には、電動送風機（図示せず）が内蔵され、該掃除機本体２の上部にはダストボックス８が設置されている。掃除機本体２の下部には、回転ブラシ９を備えた吸込具本体１が前記掃除機本体２に設けられた支点（図示せず）により前後方向に回動自在に設置されている。
【００１３】
図２に示されるように、前記掃除機本体２に内蔵された電動送風機から突出した出力軸１０の回転駆動力は、ベルト１１を介して回転ブラシ９に伝達される。
【００１４】
回転ブラシ９は、図２に示されるように、両端が吸込具本体１に固定されたシャフト１４により、当該吸込具本体１の下面前部に形成された吸込口１ａ内部に回転自在に支持されている。
【００１５】
具体的には、図３に示されるように、回転ブラシ９は、シャフト１４に回転自在に支持され、シャフト１４は、吸込具本体１の両端に設けられた支持体１２、１３により固定支持されている。図２に示されるように、支持体１２、１３の外側の突出部１２ａ、１３ａは、吸込具本体１の両側壁の内面に設けられた筒状の受け部１ｂに嵌合している。また、図３に示されるシャフト１４の両端は、支持体１２およびシャフト受け２３にスプライン嵌合しているため、シャフト１４は回転できないように固定されている。
【００１６】
回転ブラシ９の外周面には、合成樹脂製の毛１５がブラシの回転軸のまわりに螺旋状に植毛されている。回転ブラシ９の一方の端部には、ベルト駆動用のプーリ１６が固着されている。また、回転ブラシ９の両端内部には、ボールベアリング１７を有するブラシ軸１８、１９が固定されており、このボールベアリング１７により、回転ブラシ９は、シャフト１４に対し回動自在に支持されている。
【００１７】
さらに、ベルト１１の位置を切り替えることにより回転ブラシ９の回転を停止させるために、駆動用プーリ１６の隣側に自在プーリ２０が前記シャフト１４に対して回転自在に取り付けられている。具体的には、自在プーリ２０の中心部に、ボールベアリング２１がベアリング押え金具２２により固定されており、この構成により、自在プーリ２０はシャフト１４に対し回動自在に支持されている。
【００１８】
なお、回転ブラシ９についてプーリ部（駆動用プーリ１６および自在プーリ２０）に対して反対側の支持体１３は、シャフト受け２３とのあいだに設けられた圧縮コイルスプリング２４により、スライド自在に外側へ付勢されている。
【００１９】
これらシャフト受け２３および圧縮コイルスプリング２４により、回転ブラシ９の軸方向における寸法のばらつきを吸収し、また、吸込具本体１の回転ブラシ９の支持体１２、１３の受け幅寸法のばらつきを吸収することができる。
【００２０】
以上のように構成されたシャフトおよび回転ブラシでは、回転ブラシ９の駆動用プーリ１６または自在プーリ２０がベルト１１を介して、電動送風機の出力軸１０により回転駆動しても、シャフト１４自体は回転しない。
【００２１】
ベルト１１を駆動用プーリ１６と自在プーリ２０とのあいだで掛け替える機構は、本発明においてとくに限定されるものではないが、本実施の形態では、擦り板２６が水平回転してベルト１１を掛け替える機構を採用している。このベルト掛替機構では、図２に示されるように、吸込具本体１の上面に設けられたシーソースイッチ（図示せず）などの操作手段を操作することにより、リンク部材２５が擦り板２６を前後方向に押し引きし、擦り板２６が回転軸２７を中心に水平回転することにより、擦り板２６の先端に設けられた断面コの字状のガイド部２６ａが駆動用プーリ１６と自在プーリ２０のあいだでベルト１１を掛け替えることができる。
【００２２】
以上のように構成された本実施の形態のアップライト型電気掃除機の回転ブラシは、シャフト１４が吸込具本体１の両端に設けられた支持体に固定支持されているため、電動送風機によりベルト１１を介して回転ブラシ９または自在プーリ２０を回転駆動してもシャフト１４自体は回転しない。
【００２３】
したがって、シャフトの曲がり、または回転によるシャフトのたわみなどによるアンバランスの発生はなく、使用時の振動を減少できるとともに、回転ブラシやシャフトの機械的寿命を延ばすことができる。
【００２４】
また、駆動用プーリ１６への動力伝達を遮断するために、駆動用プーリ１６から自在プーリ２０にベルト１１を掛け替えても、シャフト１４に対して駆動用プーリ１６および自在プーリ２０がそれぞれ回動自在に支持されており、また、シャフト１４が両端固定されているので、従来のようにシャフト１４および回転ブラシ９が回転することもなくなる。
【００２５】
【発明の効果】
本発明によれば、回転ブラシを回転支持するためのシャフトが吸込具本体内部に両端固定されているので、回転ブラシを支持するシャフトで生じる振動を減少することができ、回転ブラシやシャフトの機械的寿命を延ばすことができる。しかも、動力伝達を遮断したときに、自在プーリがシャフトおよび回転ブラシを回転させることがないので、回転ブラシを完全に停止することができる。
【図面の簡単な説明】
【図１】本発明の電気掃除機の一実施の形態を示す斜視説明図である。
【図２】図１の吸込具本体を底蓋を取り外して下方から見た図である。
【図３】図１の回転ブラシ付近の主要部の断面説明図である。
【符号の説明】
１  吸込具本体
２  掃除機本体
９  回転ブラシ
１１  ベルト
１４  シャフト
１６  駆動用プーリ
２０  自在プーリ
【図１】
2004254746.tif 000003
【図２】
2004254746.tif 000004
【図３】
2004254746.tif 000005